(57)【特許請求の範囲】
【請求項１】
入力される輝度信号を第１所定時間遅延して第１遅延信号を発生し、前記第１遅延信号を第２所定時間遅延して第２遅延信号を発生する遅延部と、
前記遅延部からの前記第２遅延信号に、入力される現在の輝度信号を加算して加算信号を出力する加算器と、
入力される第１及び第２制御信号に応じて前記加算器からの加算信号をそれぞれ増幅して第１及び第２可変増幅信号を出力する可変増幅器と、
前記加算器からの加算信号を基準信号と比較し、その比較結果に基づいて前記可変増幅器からの前記第１可変増幅信号または第２可変増幅信号の何れかを選択する選択部と、
前記遅延部からの第１遅延信号から、選択された前記選択部からの前記第１可変増幅信号または第２可変増幅信号の何れかを減算して輪郭補償信号として出力する減算器とを有することを特徴とする輪郭補償回路。
【請求項２】
前記遅延部が、
入力される輝度信号を所定の時間遅延して第１遅延信号を発生する第１遅延部と、
前記第１遅延部からの第１遅延信号を再び所定時間遅延して第２遅延信号を発生する第２遅延部とを有することを特徴とする請求項１に記載の輪郭補償回路。
【請求項３】
前記可変増幅器が、
入力される第１制御信号に応じて前記加算器からの前記加算信号を増幅する第１可変増幅器と、
入力される第２制御信号に応じて前記加算器からの前記加算信号を増幅する第２可変増幅器を有することを特徴とする請求項１に記載の輪郭補償回路。
【請求項４】
前記選択部が、
前記加算器からの前記加算信号と基準信号とを比較する比較器と、
前記比較器からの比較結果に基づいて前記可変増幅器からの前記第１可変増幅信号または第２可変増幅信号の何れかを選択するスイッチとを有することを特徴とする請求項１に記載の輪郭補償回路。
【請求項５】
前記比較器における比較の結果、前記加算器からの前記加算信号と前記基準信号のレベルの大小により、前記比較器がハイレベル信号またはローレベル信号を前記スイッチに供給することを特徴とする請求項４に記載の輪郭補償回路。
【請求項６】
前記基準信号が、前記遅延回路により発生した前記第１遅延信号であることを特徴とする請求項１に記載の輪郭補償回路。
【請求項７】
前記加算器からの前記加算信号を増幅して第１増幅信号を発生し、前記可変増幅器及び前記選択部にそれぞれ供給する増幅器をさらに有することを特徴とする請求項１に記載の輪郭補償回路。
【発明の詳細な説明】
【０００１】
【発明の属する技術分野】
本発明は輪郭補償回路に関するものであり、より詳細にはテレビ受信機にディスプレイされる映像を向上させるためにビデオ信号に付加される輪郭補償信号を発生する輪郭補償回路に関するものである。
【０００２】
【従来の技術】
一般に、テレビ受信機などのような、ビデオ信号処理システムの応答はビデオ信号の振幅転移の転移幅または傾斜を増加させることにより改善できる。前記反応は振幅転移直前の“プリシュート”信号、及び振幅転移直後の“オーバーシュート”信号を発生することにより改善でき、その結果ブラック−ホワイトの転移及びホワイト−ブラックの転移が強調される。
【０００３】
図１は従来の輪郭補償回路を示すブロック構成図である。従来の輪郭補償回路は図１に示すように、輝度信号入力端子１０１、制御信号入力端子１０２、第１遅延部１２１、第２遅延部１２２、第３遅延部１２３、第１加算器１３１、第２加算器１３２、減算器１４１、及び可変増幅器１５１を有する。
【０００４】
前記第１及び第２遅延部１２１，１２２は入力端子１０１を通して入力される輝度信号をそれぞれ一定時間Ｔ遅延させる。前記第１及び第２遅延部１２１，１２２は時間Ｔ遅延させた輝度信号を出力し、前記第１加算器１３１及び減算器１４１にそれぞれ供給する。前記第３遅延部１２３は時間２Ｔ遅延された輝度信号を発生するために、第２遅延部１２２からの時間Ｔ遅延された輝度信号を時間Ｔさらに遅延させる。前記第２加算器１３２は入力端子１０１を通して入力される現在の輝度信号に前記第３遅延部１２３により時間２Ｔ遅延された輝度信号を加算して加算された輝度信号を発生し、前記加算された輝度信号を前記可変増幅器１５１に供給する。
【０００５】
前記可変増幅器１５１は、前記制御信号入力端子１０２を通して入力される制御信号に応じて、前記第２加算器１３２から入力される前記加算された輝度信号を増幅して増幅信号を発生し、前記増幅信号を前記減算器１４１に供給する。前記減算器１４１は前記第２遅延部１２２からの前記時間Ｔ遅延された輝度信号から、前記可変増幅器１５１からの増幅信号を減算して輪郭補償用信号１４２を発生し、この輪郭補償信号１４２を前記第１加算器１３１に供給する。前記第１加算器１３１は前記第１遅延部１２１からの時間Ｔ遅延された輝度信号に前記減算器１４１からの前記輪郭補償用信号１４２を加算して輪郭が補償された輝度信号を発生し、前記輪郭が補償された輝度信号を出力端子１０３を通してマトリクス回路（図示せず）に出力する。
【０００６】
従って、前記輪郭補償回路１００においては、前記制御信号入力端子１０２を通して入力される制御信号に応じて前記可変増幅器１５１の増幅度を調整することにより、前記減算器１４１から出力される輪郭補償用信号１４２の増幅程度を制御して輝度信号の輪郭補償のための波形の両側の突出部（ピーキング）の高さ、即ち輪郭補償のプリシュート及びオーバーシュートのレベルを制御する。
【０００７】
ところが、前記輪郭補償回路１００では、前記輝度信号の輪郭補償において輝度信号の波形の正の突出部と負の突出部、即ち正の補償部分と負の補償部分が同一の比率で調整される。
【０００８】
前述したような、従来の輪郭補償回路の例がＷａｙｎｅ  Ｅ．  Ｈａｌａｎによる米国特許第４，３５０，９９５号（１９８２年９月２１日）に開示されている。米国特許第４，３５０，９９５号に開示された前記回路はその出力端からピーキング成分を発生する差動増幅器、及び最大ピーキングが発生する周波数を決定する信号遅延ラインからなる。前記遅延ラインの入力端は補償するビデオ信号源及び前記差動増幅器の一つの入力端に接続される。輪郭補償されたビデオ信号は、差動増幅器からのピーキング成分と遅延ラインからの遅延信号とを合成させることにより発生する。前記ピーキング回路の動作パラメータは通常期待されるビデオ信号の振幅転移の範囲により決定する。
【０００９】
従って、前記差動増幅器は、前記振幅転移範囲内で周期的または非周期的な転移に対して線形的に応答する。しかし、前記差動増幅器は最大ピーキング周波数の前記振幅転移範囲で最大転移振幅の半分より大きい振幅を有する信号の周期的な転移に対しては非線形的に応答する。
【００１０】
しかし、前記回路においては、ビデオ信号の補償レベルは、高レベルから低レベルへの転移でも低レベルから高レベルへの転移でも同一の大きさで制御される。
【００１１】
【発明が解決しようとする課題】
本発明は以上のような従来技術の問題点を解決するためのものであり、本発明の目的は、輝度信号の正の補償レベルと負の補償レベルを個別に調整可能な輪郭補償回路を提供することにある。
【００１２】
【課題を解決するための手段】
前記目的を達成するための本発明によれば、
入力される輝度信号を第１所定時間遅延して第１遅延信号を発生し、前記第１遅延信号を第２所定時間遅延して第２遅延信号を発生する遅延部と、
前記遅延部からの前記第２遅延信号に、入力される現在の輝度信号を加算して加算信号を出力する加算器と、
入力される第１及び第２制御信号に応じて前記加算器からの加算信号をそれぞれ増幅して第１及び第２可変増幅信号を出力する可変増幅器と、
前記加算器からの加算信号を基準信号と比較し、その比較結果に基づいて前記可変増幅器からの前記第１可変増幅信号または第２可変増幅信号の何れかを選択する選択部と、
前記遅延部からの第１遅延信号から、選択された前記選択部からの前記第１可変増幅信号または第２可変増幅信号の何れかを減算して輪郭補償信号として出力する減算器とを有することを特徴とする輪郭補償回路が提供される。
【００１３】
本発明の輪郭補償回路は、望ましくは、前記遅延部が、入力される輝度信号を所定の時間遅延して第１遅延信号を発生する第１遅延部と、前記第１遅延部からの第１遅延信号を再び所定時間遅延して第２遅延信号を発生する第２遅延部とを有する形で構成される。
【００１４】
本発明の輪郭補償回路は、望ましくは、前記可変増幅器が、入力される第１制御信号に応じて前記加算器からの前記加算信号を増幅する第１可変増幅器と、入力される第２制御信号に応じて前記加算器からの前記加算信号を増幅する第２可変増幅器を有する形で構成される。
【００１５】
本発明の輪郭補償回路は、望ましくは、前記選択部が、前記加算器からの前記加算信号と基準信号とを比較する比較器と、前記比較器からの比較結果に基づいて前記可変増幅器からの前記第１可変増幅信号または第２可変増幅信号の何れかを選択するスイッチとを有する形で構成される。
【００１６】
本発明の輪郭補償回路は、望ましくは、前記加算器からの前記加算信号を増幅して第１増幅信号を発生し、前記可変増幅器及び前記選択部にそれぞれ供給する増幅器をさらに有する形で構成される。
【００１７】
上述のような構成の本発明に基づく輪郭補償回路では、輝度信号の正負の輪郭補償のレベルを個別に調整可能である。
【００１８】
【発明の実施の形態】
以下、本発明を添付図面に基づいて本発明の望ましい実施例をより詳細に説明する。図面において同一の要素に対しては同一符号を使用する。
【００１９】
図２は本発明の望ましい実施例による輪郭補償回路２００を示すブロック図である。図２に示すように、前記輪郭補償回路２００は遅延回路２１０、加算器２２１、可変増幅器２５０、選択部２６０、及び減算器２２２を有する。
【００２０】
前記遅延回路２１０は第１遅延部２１１及び第２遅延部２１２からなる。前記第１遅延部２１１は輝度信号入力端子２０１を通して入力される輝度信号を時間Ｔ遅延させ、その出力端に第１遅延信号を発生する。前記第１遅延部２１１により発生する第１遅延信号２１１１は前記第２遅延部２１２及び前記選択部２６０にそれぞれ供給される。前記第２遅延部２１２は前記第１遅延信号２１１１を所定の時間、望ましくは前記時間Ｔ遅延させて第２遅延信号２１２１を発生し、この第２遅延信号２１２１を前記加算器２２１に供給する。
【００２１】
前記加算器２２１は前記第２遅延部２１２１からの第２遅延信号を前記輝度信号入力端子２０１からの現在の輝度信号に加算して加算信号２２１１を発生し、この加算信号２２１１を１／２増幅器２３１に供給する。前記１／２増幅器２３１は前記加算信号２２１１を増幅させ１／２増幅信号２３１１を発生し、前記１／２増幅信号２３１１を可変増幅器２５０及び選択部２６０にそれぞれ出力する。
【００２２】
前記可変増幅器２５０は第１可変増幅器２５１及び第２可変増幅器２５２からなる。前記第１可変増幅器２５１は第１制御信号入力端子２５３を通して入力される第１制御信号２５３１に応じて前記１／２増幅器２３１からの１／２増幅信号２３１１を増幅し、第１可変増幅信号２５１１を発生する。前記第２可変増幅器２５２は第２制御信号入力端子２５４を通して入力される第２制御信号２５４１に応じて前記１／２増幅器２３１からの１／２増幅信号２３１１を増幅し、第２可変増幅信号２５２１を発生する。
【００２３】
前記選択部２６０は１／２増幅器２３１からの１／２増幅信号２３１１に基づいて前記第１または第２可変増幅信号２５１１，２５２１を選択的に出力する。前記選択部２６０は選択的に前記第１または第２可変増幅信号２５１１，２５２１を出力するため、望ましくは比較器２４１及びスイッチ２６１からなる。前記比較器２４１は前記スイッチ２６１のスイッチ動作を制御するため、前記１／２増幅信号２３１１の電圧レベルと所定の基準信号の電圧レベル、望ましくは前記第１遅延部２１１からの第１遅延信号２１１１とを比較し、その比較結果を前記スイッチ２６１に供給する。前記スイッチ２６１は前記比較器２４１から供給された比較結果２４１１により動作して、スイッチ動作により選択された前記第１または第２可変増幅信号２５１１，２５２１を前記減算器２２２に出力する。
【００２４】
前記減算器２２２は前記第１遅延部２１１により遅延された第１遅延信号２１１１から、前記スイッチ２６１より供給された第１または第２増幅信号２５１１，２５２１を減算して輪郭補償信号２２２１を発生する。
【００２５】
以下、上述のように構成された輪郭補償回路の動作を図面に基づいて、詳細に説明する。図２に示すように、輝度−色信号分離器（図示せず）によって分離された図３Ａのような波形を有する輝度信号が輝度信号入力端子２０１を通して前記第１遅延部２１１に入力される場合、前記第１遅延部２１１は前記入力された輝度信号を時間Ｔ遅延させ図３Ｂのような第１遅延信号２１１１を発生し、この第１遅延信号２１１１を前記第２遅延部２１２、前記比較器２４１、及び前記減算器２２２にそそれぞれ供給する。
【００２６】
前記第２遅延部２１２は前記第１遅延部２１１から入力された第１遅延信号２１１１をさらに時間Ｔ遅延させ、図３Ｃのように２Ｔ遅延された第２遅延信号２１２１を発生し、この第２遅延信号２１２１を前記加算器２２１に供給する。前記加算器２２１は前記輝度信号入力端子２０１を通して入力される現在の輝度信号に前記第２遅延部２１２により提供される前記第２遅延信号２１２１を加算して図３Ｄのような加算信号２２１１を発生し、前記１／２増幅器２３１に供給する。
【００２７】
前記１／２増幅器２３１は、前記加算器２２１から入力される加算信号２２１１を１／２増幅して図３Ｅのような１／２増幅信号２３１１を発生し、この１／２増幅信号２３１１を前記比較器２４１、前記第１及び第２可変増幅器２５１，２５２にそれぞれ供給する。
【００２８】
前記第１可変増幅器２５１は前記第１制御信号入力端子２５３を通して入力される第１制御信号２５３１に応じて前記１／２増幅器２３１からの１／２増幅信号２３１１を増幅して第１増幅信号２５１１を発生し、この第１増幅信号２５１１を前記スイッチ２６１の第１入力端子２６２に供給する。たとえば、前記図３Ｅのような波形を有する前記１／２増幅器２３１からの１／２増幅信号２３１１が前記第１可変増幅器２５１に入力され、前記第１可変増幅器２５１の増幅度が１／５である場合には、前記第１可変増幅器２５１は、図３Ｆのように１／５増幅された第１可変増幅信号２５１１を前記スイッチ２６１の第１端子２６２に出力する。
【００２９】
また、前記第２可変増幅器２５２は前記第２入力端子２５４から入力される第２制御信号２５４１に応じて前記１／２増幅器２３１からの１／２増幅信号２３１１を増幅し、増幅により発生した第２増幅信号２５２１を前記スイッチ２６１の第２端子２６３に供給する。たとえば、前記図３Ｅのような波形を有する前記１／２増幅器２３１からの１／２増幅信号２３１１が前記第２可変増幅器２５２に入力され、前記第２可変増幅器２５２の増幅度が４／５である場合には、前記第２可変増幅器２５２のは、図３Ｇのように４／５増幅された第２増幅信号２５２１を前記スイッチ２６１の第２端子２６３に出力する。
【００３０】
前記比較器２４１は前記１／２増幅器２３１からの前記第１増幅信号２３１１を基準信号である第１遅延部２１１から入力された第１遅延信号２１１１とレベルを比較して比較結果信号２４１１を発生し、この比較結果信号２４１１を前記スイッチ２６１に供給して前記スイッチ２６１を制御する。たとえば、前記第１遅延部２１１から図３Ｂのような波形の第１遅延信号２１１１及び前記１／２増幅器２３１から図３Ｅのような１／２増幅信号２３１１が前記比較器２４１にそれぞれ入力された場合には、前記比較器２４１は図３Ｈのような論理信号を出力させる。すなわち、第１遅延信号２１１１が前記１／２増幅信号２３１１より小さい場合には、前記比較器２４１はローレベル信号を前記スイッチ２６１に出力する。これとは反対に、前記第１遅延信号２１１１が前記１／２増幅信号２３１１より大きいか同じである場合には、前記比較器２４１はハイレベル信号を前記スイッチ２６１に出力する。
【００３１】
前記スイッチ２６１は、前記第１及び第２端子２６２，２６３を通してそれぞれ入力される前記第１可変増幅信号２５１１及び前記第２可変増幅信号２５２１を、前記比較器２４１から入力される比較結果信号２４１１に応じて選択的に前記減算器２２２に出力する。例えば、前記比較器２４１からローレベルの信号が前記スイッチ２６１に入力された場合には、前記スイッチ２６１は前記第１可変増幅器２５１からの第１増幅信号２５１１を前記減算器２２２に出力する。これとは反対に、前記比較器２４１からのハイレベルの信号が入力された場合には、前記スイッチ２６１は前記第２増幅器２５２からの第２増幅信号２５２１を前記減算器２２２に出力する。
【００３２】
図３Ｉは前記比較器２４１から図３Ｈのような比較結果信号２４１１、前記第１及び第２可変増幅器２５１，２５２から図３Ｆ及び３Ｇのような波形の信号が前記スイッチ２６１に入力される場合、前記スイッチから出力される信号２６１１の波形を示した波形図である。
【００３３】
前記減算器２２２は前記スイッチ２６１から前記図３Ｉのような信号２６１１が入力されると、前記第１遅延部２１１から供給された前記図３Ｂの第１遅延信号２１１１から前記スイッチ２６１から供給された図３Ｉの信号２６１１を減算して、減算によって発生した図３Ｊに示しているような輪郭補償信号２２２１を発生する。
【００３４】
前記輪郭補償信号２２２１では、図３Ｊに示すように、負の補償部分の振幅（α）と前記正の補償部分の振幅（β）が前記第１及び第２可変増幅器２５１，２５２の増幅度に比例して調節される。
【００３５】
前記減算器２２２により発生した前記輪郭補償信号２２２１は所定の遅延部により所定時間遅延された輝度信号、望ましくは前記図３Ｃの２Ｔ遅延された第２遅延信号２１２１に加算され、図３Ｋのように輝度信号の輪郭を補償する。
【００３６】
従って、上述のような構成によると、輪郭補償信号２２２１の正負の補償レベルがそれぞれ調節可能になる。
【００３７】
本発明を実施例によって詳細に説明したが、本発明は実施例によって限定されず、本発明が属する技術分野において通常の知識を有するものであれば本発明の思想と精神を離れることなく、本発明を修正または変更できるであろう。
【００３８】
【発明の効果】
以上で説明したように、本発明により、輝度信号の正の補償レベルと負の補償レベルを個別に調整可能な輪郭補償回路が実現できる。
【図面の簡単な説明】
【図１】従来の輪郭補償回路を示すブロック図である。
【図２】  本発明の望ましい実施例による輪郭補償回路の構成を示すブロック図である。
【図３】図２に示した輪郭補償回路の各部分における信号波形図である。
【符号の説明】
２００  輪郭補償回路
２０１  輝度信号入力端子
２１０  遅延回路
２１１，２１２  第１及び第２遅延部
２２１  加算器
２２２  減算器
２３１  １／２増幅器
２４１  比較器
２５０  可変増幅器
２５１，２５２  第１及び第２可変増幅器
２６０  選択部
【図１】
0003943645.tif 000002
【図２】
0003943645.tif 000003
【図３】
0003943645.tif 000004